(57)【要約】      （修正有）【課題】照明板の取外し及び取付けの際にLEDが損傷する可能性がなく、LEDの発する熱を放熱するための対策も行われたエレベータかご室の照明装置を提供する。【解決手段】天井5に開口部16を有すると共に、前記開口部16の上部に対面して配置された底部10aを有する照明ボックス10を備えたかご室と、開口部16より全周において大きく、開口部16を覆うと共に、照明ボックス10の内側に移動可能に設けられた照明板15と、照明ボックス10の底部10aに取付けられると共に、かご室1を照射するＬＥＤ11aを配置した基板11と、ＬＥＤ11aを貫通する孔が設けられると共に、ＬＥＤ11aから発生した熱を放熱する放熱板12とを備え、放熱板12のＬＥＤ11aが照射される側の面は、ＬＥＤ11aの先端部分よりも照明ボックス10の内側にある、構造としている。【選択図】図２
2012056663.tif 000002
【特許請求の範囲】
【請求項１】
天井に開口部を有すると共に、前記開口部の上部に対面して配置された底部を有する凹部を備えたかごと、
前記開口部より全周において大きく、前記開口部を覆うと共に、前記凹部の内側に移動可能に設けられた照明板と、
前記凹部の底部に取付けられると共に、前記かごを照射するＬＥＤを配置した基板と、
前記ＬＥＤを貫通する孔が設けられると共に、前記ＬＥＤから発生した熱を放熱する放熱板とを備え、
前記放熱板の前記ＬＥＤが照射される側の面は、前記ＬＥＤの先端部分よりも前記凹部の内部側にある、
ことを特徴とするエレベータかご室の照明装置。
【請求項２】
前記基板と前記放熱板は取り付け座を介して前記凹部の底部に取り付けられていることを特徴とする請求項１に記載のエレベータかご室の照明装置。
【請求項３】
前記基板と前記放熱板の外形は前記開口部より小さい、ことを特徴とする請求項1ないし請求項２に記載のエレベータかご室の照明装置。
【発明の詳細な説明】
【技術分野】
【０００１】
この発明は、エレベータかご室のＬＥＤを用いた照明装置に関するものである。
【背景技術】
【０００２】
従来、ＬＥＤを用いたエレベータかご室の天井照明は、ＬＥＤが配置された基板を保護するため保護板(透明あるいは半透明であり、照明板として使っているので以下照明板と示す)で覆っている構成であった。（例えば、特開2004-338825号 参照）
【先行技術文献】
【特許文献】
【０００３】
【特許文献１】特開2004−338825号公報
【発明の概要】
【発明が解決しようとする課題】
【０００４】
しかしながら、ＬＥＤの寿命などにより基板を交換するために照明板の取外し及び取付けをする際に、照明板を外した状態ではＬＥＤが露出した状態となっている。このため照明板を取付けるときに、照明板がＬＥＤに接触しＬＥＤを損傷する可能性があるといった問題があった。また、ＬＥＤを照明に用いることで、かご室内が熱により温度上昇するだけでなく、ＬＥＤの性能がＬＥＤの発する熱の影響により低下するといった問題があり、この対策として、ＬＥＤの発する熱を放熱する必要がある。
【０００５】
この発明は上記課題を解決するためになされたもので、ＬＥＤの発する熱を放熱するための対策が行われていて、照明板の取外し及び取付けの際にＬＥＤが損傷する可能性がないエレベータかご室の照明装置を提供することを目的とする。
【課題を解決するための手段】
【０００６】
天井に開口部を有すると共に、前記開口部の上部に対面して配置された底部を有する凹部を備えたかごと、
前記開口部より全周において大きく、前記開口部を覆うと共に、前記凹部の内側に移動可能に設けられた照明板と、
前記凹部の底部に取付けられると共に、前記かごを照射するＬＥＤを配置した基板と、
前記ＬＥＤを貫通する孔が設けられると共に、前記ＬＥＤから発生した熱を放熱する放熱板とを備え、
前記放熱板の前記ＬＥＤが照射される側の面は、前記ＬＥＤの先端部分よりも前記凹部の内部側にある、構造としている。
【発明の効果】
【０００７】
この発明によれば、ＬＥＤを配した基板にＬＥＤの発する熱を放熱するための放熱板を備えているため、ＬＥＤの発する熱を放熱することができる。また、放熱板のＬＥＤが照射される側の面はＬＥＤの先端部分よりも凹部の内部側にあるため、凹部内の照明板の取外し及び取付けを行う時に照明板が放熱板に接触してもＬＥＤに接触することがなくＬＥＤを損傷する可能性はない。
【図面の簡単な説明】
【０００８】
【図１】この発明の実施の形態1を示すかご室の出入口を見た図である。
【図２】図1のかご室に設置した照明装置の断面図である。
【図３】図2の基板と放熱板のB部の拡大図である。
【図４】図2の照明装置を矢印A方向から見た図である。
【図５】この発明の実施の形態１における基板と放熱板と照明板のかどとの関係を表す図である。
【図６】この発明の実施の形態1における放熱板を取外す手順の説明図である。
【図７】図6を矢印C方向から見た図である。
【図８】図7を矢印D方向から見た図である。
【発明を実施するための形態】
【０００９】
以下、この発明を実施するための形態について、添付の図面を参照して説明する。
【００１０】
実施の形態1
図1〜図8は、この発明の実施の形態１を説明する図である。
図1はかご内からかご室の出入口を見た図である。かご室１は、かご床2と、かご床2から立てかけられたかご壁3および袖壁4と、かご床2の上方に配置されかご壁3および袖壁4に支持されたかご天井5とを有している。そして、かご天井5には照明装置6が設けられている。また、かご室正面の袖壁4の間には開閉可能にかごドア7が設けられている。袖壁4には行先階の指定及びドアの開閉などを行う釦が備えられた操作ボックス8が設置されている。
【００１１】
図2は図1における照明装置6の断面図である。図３は、図2の基板と放熱板のB部の拡大図である。また、図４は図2における照明装置6をかご室１のA方向から見た図である。
【００１２】
図2において、かご天井5には開口部16が設けられている。この開口部16の上部に対面して底部10aを有する凹部として照明ボックス 10が設けられている。照明ボックス 10は、断面が凹であり、四角形の底部10aの周囲に側面部10ｂを有していて、内部に空間をもつ箱型の形状をしている。また、側面部10ｂの先端部には外周の外側に向かってフランジ10ｃが構成されていて、このフランジ10ｃ部分がかご天井5の上面に固定されている。
【００１３】
照明ボックス 10の底部10aの内側に取付け座14を介して、かご1を照射するＬＥＤ11aを配した基板11とＬＥＤ11aの発した熱を放熱する放熱板12とがネジ13により固定されている。この放熱板12からＬＥＤ11aの発した熱が大気中に放熱される。また、基板11と照明ボックス10との間に取付け座14による空間を有し、この空間にもＬＥＤ11aの熱が放熱される。さらに、放熱板12の熱が取付け座14を介して照明ボックス10にも伝わるため、照明ボックス10からも熱が大気中に放熱される。
【００１４】
ここで、図３で示すように、放熱板12は、基板11のＬＥＤ11aが配置された面に取付けられている。
この例では、ＬＥＤ11aの先端部分から照射される光の指向特性は図で示すようにおよそ130度の拡散角となっている。また、ＬＥＤ11aの光度は中心を１００％とすると周辺に向かうほど低下するが、４０度の角度領域で光度の比率(相対光度)が８０％以上となる指向特性をもっている。
【００１５】
そして、図で示すように、放熱板12のＬＥＤが照射する側の面はＬＥＤ11aの先端部分よりも照明ボックス 10の内側にあると共に、放熱板12のＬＥＤ11aを貫通する孔12aはＬＥＤ11aのおよそ130度の拡散角をもった照射光を遮らない構成となっている。
【００１６】
照明板15は外形が全周にわたって開口部16よりも大きく、開口部16を覆うと共に、照明ボックス 10の内側に移動可能に設けられている。また、照明板15は、断面形状が凸形になっていて、この突出した部分が開口部16に挿入されている。これらにより、照明板15はエレベータの運転によって起る振動により挿入部分(開口部16)で多少動いても、かご室側に落下することはない。さらに、かご内から照明ボックス10や放熱板12などが見えることもない。また、照明板1５は透光性をもつ平板であり、透明または半透明の材料(たとえば樹脂やガラス等)により構成されている。なお、図４では、照明板15は2点鎖線で、開口部16は1点鎖線で示している。
【００１７】
基板11にはＬＥＤ11aが縦横に所定の間隔で配置されている。また、基板11にはＬＥＤを発光させるための整流回路、制限抵抗等(図示せず)が設けられている。ＬＥＤ11aは給電されることで発光し、ＬＥＤ11aの照射光は開口部16、照明板15を介してかご室内に照射される。放熱板12には基板11のＬＥＤ11aと同じ間隔でＬＥＤ11aを貫通した孔12aが設けられている。放熱板12はその材料にアルミニウム等の金属や熱伝導率の高い樹脂等が用いられている。
【００１８】
さらに、図４で示すように、基板11は放熱板12と組み合わされた状態で4分割され配置されている。この4分割された光が開口部16から照射されるので、基板11と放熱板12の大きさは開口部16の概ね1/4となる。なお、この例では、基板11と放熱板12は4分割されているが、ＬＥＤの光出力、かご室の大きさなどによりその数は変化する。例えば、かご室が小さい場合、基板11と放熱板12が各1個の場合もありえる。この場合も基板11と放熱板12の外形は開口部16よりも小さく設けられる。
【００１９】
図5に、ＬＥＤ11aと放熱板12の孔12aと照明板15との関係を示している。
照明板15の4ヶ所のかど15aは図で示すように半円形状になっている。そして、かど15aの半径を大きくして照明板15のかど15aが孔12aに接触しても、かど15aが孔12a内に入りこむ量が少なくなるようにしている。これにより、かど15aとＬＥＤ11aが接触しない距離を保つ。
【００２０】
次に、図6と図7と図8を用いて照明板15と基板11と放熱板12の取外し方法について説明する。図6では開口部16の1箇所の角に照明板15を合わせた状態を示している。図7は図6を矢印Cから見た図を示している。図8は図7を矢印Dから見た図を示している。
【００２１】
最初に、照明板15を照明ボックス10の方向に持ち上げて照明板15の凸部が開口部16から開放された状態にする。次に、図6に示すように照明板15の一箇所のかど15aを開口部16のかど16aに概ね合わせる。このとき、同時にかどから延びている照明板15の辺15aと開口部16の辺16a、及び照明板15の辺15ｃと開口部16の辺16ｃを概ね合わせる。そして、前記の照明板15の辺15aを支点にして、選んだ辺に対面している辺15ｄを図7に示すように基板11と放熱板12の方向に回動させる。このとき、かご室1側から見て照明板15の幅がほぼ開口部16と同じに見えるまで回動させる。照明板15を回動させた後、照明板15の辺15ｃを矢印Eと矢印Fに示すようにかごの内側に引いて照明板15をかご室1内に取り出す。
【００２２】
照明板15を取り外した後、かご室1内より基板11と放熱板12を固定しているネジ13を外し、基板11と放熱板12を取り出す。基板11を交換して放熱板12と照明板15を取付けるときは前記の逆の動作を行う。
【００２３】
上記動作により、図7のように照明板15を傾けた時に、照明板15が放熱板12に干渉することはありえる。しかし、ＬＥＤ11aの先端部分は放熱板12の外面より内側にあり、照明板15が放熱板12に接触するのは外形の辺の部分である。放熱板12の辺の長さは孔12aの径よりもはるかに長いので、孔12aの内側に入りこむことはなく、放熱板12がＬＥＤ11aに接触することはない。
【００２４】
また、図8で示すように、照明板15をかご内に取出すときに照明板15のかど15aが孔12aに接触することも考えられる。しかし、図５で示したように、照明板15のかど15aが孔12aに接触したとしても、ＬＥＤ11a の先端部分と照明板15のかど15aとは充分な隙間があり接触することはない。よって、照明板15の取外しおよび取付けによりＬＥＤ11aが損傷する可能性はない。
【００２５】
上記で説明した実施の形態1による効果を以下に説明する。
このようなエレベータかご室の照明装置6では、天井5に開口部16を有すると共に底部を有する照明ボックス10を備えたかご室1と、開口部16を覆うと共に、照明ボックス10の内側に移動可能に設けられた照明板15と、照明ボックス10の底部に取付けられると共に、かご室1内を照射するＬＥＤ11aを配置した基板11と、ＬＥＤ11aを貫通する孔12aが設けられると共に、ＬＥＤ11aから発生した熱を放熱する放熱板12とを備えていて、放熱板12の前記ＬＥＤが照射する側の面は、ＬＥＤ11aの先端部分よりも照明ボックス10の内部側にある。
【００２６】
これにより、放熱板12を介してＬＥＤ11aから発生した熱を放熱できることと共に、照明板15を照明ボックス10の内側から開口部16を介して取り出しあるいは取付けを行うとき、照明板15が放熱板12に接触してもＬＥＤ11aには接触しないので、ＬＥＤ11aを損傷する可能性はない。
【００２７】
また、基板11と放熱板12は取り付け座14を介して照明ボックス10の底部に取り付けられているので、基板11と照明ボックス10の間に空間が設けられている。これにより、ＬＥＤ11aが発した熱を基板11と照明ボックス10の間に滞留させることなく大気中に放熱することができる。
【００２８】
基板11と放熱板12の外形は開口部16より小さいため、基板11と放熱板12は開口部16より抜き出すことができる。よって、基板11と放熱板12の交換作業をかご内から行うことができる。
【００２９】
また、照明板15は4個のかど15aが半円形状であり、そして、かど15aの半径を大きくして照明板15のかど15aが孔12aに接触しても、かど15aが孔12a内に入りこむ量を少なくしている。これにより、かど15aとＬＥＤ11aが接触しない距離を保つようにしているので、照明板15の取外し及び取付けを行うとき、ＬＥＤ11aを損傷する可能性はない。
【００３０】
この発明はエレベータの照明装置に適用できる。
【符号の説明】
【００３１】
6 照明装置、 
10 照明ボックス、 
10a  底部、  
10ｂ  側面部、
10ｃ  フランジ、
11 基板、 
11a  ＬＥＤ、 
12 放熱板、
12a  孔、
14  取付け座、 
15 照明板、 
16  開口部、 
【図１】
2012056663.tif 000003
【図２】
2012056663.tif 000004
【図３】
2012056663.tif 000005
【図４】
2012056663.tif 000006
【図５】
2012056663.tif 000007
【図６】
2012056663.tif 000008
【図７】
2012056663.tif 000009
【図８】
2012056663.tif 000010